(57)【要約】【課題】強度変調方式でも画像信号を安定に光伝送可能にする。【解決手段】Ｒ光信号送信装置１００では、画像・同期重畳信号により送信光を強度変調すると共に、水平同期信号ＨＳのタイミングにおける光信号の強度が一定になるようにＬＤ駆動回路１０２の電圧−電流変換ゲインをフィードバック制御する。Ｒ光信号受信装置では、受信した光信号に含まれる同期信号の振幅が元の振幅値になるようなゲインで、受信した光信号に含まれる画像信号を増幅する。【効果】強度変調方式でも、画像信号を安定に光伝送できる。【選択図】図２
2006060288.tif 000002
【特許請求の範囲】
【請求項１】
入力電気信号により駆動され光信号を出力する電気−光変換手段と、画像信号に水平同期信号および垂直同期信号の一方または両方を重畳した画像・同期重畳信号を前記入力電気信号として前記電気−光変換手段を駆動する駆動手段と、前記光信号を受光し出力電気信号を出力する光−電気変換手段と、前記出力電気信号に含まれる前記同期信号の信号レベルである同期信号レベルを検出する同期信号レベル検出手段と、前記同期信号レベルを所定値に維持するように前記駆動手段のゲインを調整する自動ゲイン調整手段とを具備したことを特徴とする光信号送信装置。
【請求項２】
画像信号および同期信号を含む光信号を受光し電気信号を出力する光−電気変換手段と、前記電気信号を増幅し画像信号として出力する増幅手段と、前記電気信号に含まれる水平同期信号または垂直同期信号の信号レベルである同期信号レベルを検出する同期信号レベル検出手段と、前記同期信号レベルを所定値に維持するように前記増幅手段のゲインを調整する自動ゲイン調整手段とを具備したことを特徴とする光信号受信装置。
【請求項３】
請求項１に記載の光信号送信装置と、請求項２に記載の光信号受信装置と、前記光信号送信装置から出力される光信号を前記光信号受信装置まで導く光伝送路とを具備したことを特徴とする画像伝送用光通信装置。
【請求項４】
請求項３に記載の画像伝送用光通信装置において、前記光信号送信装置は、Ｒ光信号送信装置とＧ光信号送信装置とＢ光信号送信装置の３台あり、前記光信号受信装置は、Ｒ光信号受信装置とＧ光信号受信装置とＢ光信号受信装置の３台あり、前記光伝送路は、Ｒ光伝送路とＧ光伝送路とＢ光伝送路の３路あることを特徴とする画像伝送用光通信装置。
【請求項５】
請求項４に記載の画像伝送用光通信装置において、前記Ｒ光信号送信装置は、Ｒ画像信号および水平同期信号を含む光信号を出力し、前記Ｇ光信号送信装置は、Ｇ画像信号および水平同期信号および垂直同期信号を含む光信号を出力し、前記Ｂ光信号送信装置は、Ｂ画像信号および水平同期信号を含む光信号を出力することを特徴とする画像伝送用光通信装置。
【発明の詳細な説明】
【技術分野】
【０００１】
本発明は、光信号送信装置、光信号受信装置および画像伝送用光通信装置に関し、さらに詳しくは、画像信号を強度変調方式により光伝送する場合の送信光の強度レベルを安定化できる光信号送信装置、強度変調方式により光伝送されてきた画像信号の振幅レベルを安定化できる光信号受信装置、および、それら光信号送信装置と光信号受信装置とにより画像信号を安定に光伝送できる画像伝送用光通信装置に関する。
【背景技術】
【０００２】
画像信号を光伝送する場合の変調方式には、アナログ画像信号を一旦周波数変調信号に変換しその周波数変調信号で光を強度変調して伝送するＦＭ変調方式と、アナログ画像信号でそのまま光を強度変調して伝送する強度変調方式とがある（例えば、特許文献１参照。）。
【特許文献１】特開平１１−１４５５３５号公報
【発明の開示】
【発明が解決しようとする課題】
【０００３】
ＦＭ変調方式の場合は、画像信号と送信光の強度とが互いに独立であるため、送信光の振幅を一定に維持するように半導体レーザを駆動制御することにより、送信光の強度レベルを安定化することが出来た。また、光伝送路での光の減衰に変動やバラツキがあっても、受信側で画像信号を復調するのに支障を生じなかった。
一方、強度変調方式の場合は、画像信号に応じて送信光の強度が変化するため、送信光の振幅を一定に維持するように半導体レーザを駆動制御することが出来ず、送信光の強度レベルを安定化することが出来ない問題点があった。また、光伝送路での光の減衰に変動やバラツキがあると、受信側で元の画像信号の振幅レベルに安定に復調することが出来ない問題点があった。
そこで、本発明の目的は、画像信号を強度変調方式により光伝送する場合の送信光の強度レベルを安定化できる光信号送信装置、強度変調方式により光伝送されてきた画像信号の振幅レベルを安定化できる光信号受信装置、および、それら光信号送信装置と光信号受信装置とにより画像信号を安定に光伝送できる画像伝送用光通信装置を提供することにある。
【課題を解決するための手段】
【０００４】
第１の観点では、本発明は、入力電気信号により駆動され光信号を出力する電気−光変換手段と、画像信号に水平同期信号および垂直同期信号の一方または両方を重畳した画像・同期重畳信号を前記入力電気信号として前記電気−光変換手段を駆動する駆動手段と、前記光信号を受光し出力電気信号を出力する光−電気変換手段と、前記出力電気信号に含まれる前記同期信号の信号レベルである同期信号レベルを検出する同期信号レベル検出手段と、前記同期信号レベルを所定値に維持するように前記駆動手段のゲインを調整する自動ゲイン調整手段とを具備したことを特徴とする光信号送信装置を提供する。
強度変調方式の場合、振幅が変化する画像信号に応じて送信光の強度も変化する。しかし、振幅を一定（例えば０.３Ｖ）にした同期信号に対しては送信光の強度は一定になる。
そこで、上記第１の観点による光信号送信装置では、画像・同期重畳信号により送信光を強度変調すると共に、同期信号のタイミングにおける光信号の強度が一定になるように電気−光変換手段を駆動制御する。これにより、画像信号を強度変調方式により光伝送する場合の送信光の強度レベルを安定化できる。
また、画像信号の周波数帯域が広い高精細画像信号をＦＭ変調方式で伝送する場合よりも周波数特性が低域の部品を使用できる利点もある。
【０００５】
第２の観点では、本発明は、画像信号および同期信号を含む光信号を受光し電気信号を出力する光−電気変換手段と、前記電気信号を増幅し画像信号として出力する増幅手段と、前記電気信号に含まれる水平同期信号または垂直同期信号の信号レベルである同期信号レベルを検出する同期信号レベル検出手段と、前記同期信号レベルを所定値に維持するように前記増幅手段のゲインを調整する自動ゲイン調整手段とを具備したことを特徴とする光信号受信装置を提供する。
光信号は光伝送路で減衰するため、受信した光信号に含まれる画像信号および同期信号の振幅は元の振幅より小さくなっている。画像信号の振幅は変化するので、画像信号を観ても、元の振幅からどれだけ小さくなっているのか判らない。しかし、同期信号の元の振幅が一定（例えば０.３Ｖ）であるなら、同期信号の元の振幅値と光信号に含まれる同期信号の振幅を比較すれば、元の振幅よりどれだけ小さくなったかを知ることが出来る。
そこで、上記第２の観点による光信号受信装置では、受信した光信号に含まれる同期信号の振幅が元の振幅値になるようなゲインで、受信した光信号に含まれる画像信号を増幅する。これにより、強度変調方式により光伝送されてきた画像信号の振幅レベルを安定化できる。
【０００６】
第３の観点では、本発明は、上記構成の光信号送信装置と、上記構成の光信号受信装置と、前記光信号送信装置から出力される光信号を前記光信号受信装置まで導く光伝送路とを具備したことを特徴とする画像伝送用光通信装置を提供する。
上記第３の観点による画像伝送用光通信装置では、強度変調方式でも、画像信号を安定に光伝送できる。
【０００７】
第４の観点では、本発明は、上記構成の画像伝送用光通信装置において、前記光信号送信装置は、Ｒ光信号送信装置とＧ光信号送信装置とＢ光信号送信装置の３台あり、前記光信号受信装置は、Ｒ光信号受信装置とＧ光信号受信装置とＢ光信号受信装置の３台あり、前記光伝送路は、Ｒ光伝送路とＧ光伝送路とＢ光伝送路の３路あることを特徴とする画像伝送用光通信装置を提供する。
上記第４の観点による画像伝送用光通信装置では、パソコン等から出力されるアナログＲＧＢビデオ信号を安定に光伝送できる。また、Ｒ信号，Ｇ信号，Ｂ信号，水平同期信号および垂直同期信号の５ラインの信号を、３路の光伝送路で伝送できる。
【０００８】
第５の観点では、本発明は、上記構成の画像伝送用光通信装置において、前記Ｒ光信号送信装置は、Ｒ画像信号および水平同期信号を含む光信号を出力し、前記Ｇ光信号送信装置は、Ｇ画像信号および水平同期信号および垂直同期信号を含む光信号を出力し、前記Ｂ光信号送信装置は、Ｂ画像信号および水平同期信号を含む光信号を出力することを特徴とする画像伝送用光通信装置を提供する。
上記第５の観点による画像伝送用光通信装置では、Ｇ画像信号および水平同期信号および垂直同期信号を含む光信号を、ＳＯＧ（Sync On Green）信号として扱うことが出来る。
【発明の効果】
【０００９】
本発明の光信号送信装置によれば、画像信号を強度変調方式により光伝送する場合の送信光の強度レベルを安定化できる。
また、本発明の光信号受信装置によれば、強度変調方式により光伝送されてきた画像信号の振幅レベルを安定化できる。
さらに、本発明の画像伝送用光通信装置によれば、強度変調方式でも、画像信号を安定に光伝送できる。
【発明を実施するための最良の形態】
【００１０】
以下、図に示す実施例により本発明をさらに詳細に説明する。なお、これにより本発明が限定されるものではない。
【実施例１】
【００１１】
図１は、実施例１に係る画像伝送用光通信装置１０を示すブロック図である。
この画像伝送用光通信装置１０は、パソコン等からのアナログＲ画像信号Ｒに水平同期信号ＨＳを重畳したＲ画像・水平同期重畳信号により強度変調した光信号Ｌｒを送信するＲ光信号送信装置１００と、パソコン等からのアナログＧ画像信号Ｇに水平同期信号ＨＳおよび垂直同期信号ＶＳを重畳したＧ画像・水平・垂直同期重畳信号により強度変調した光信号Ｌｇを送信するＧ光信号送信装置２００と、パソコン等からのアナログＢ画像信号Ｂに水平同期信号ＨＳを重畳したＢ画像・水平同期重畳信号により強度変調した光信号Ｌｂを送信するＢ光信号送信装置３００と、受信した光信号ＬｒからアナログＲ画像信号Ｒと水平同期信号ＨＳとを復調して出力するＲ光信号受信装置４００と、受信した光信号ＬｇからアナログＧ画像信号Ｇと水平同期信号ＨＳと垂直同期信号ＶＳとを復調して出力するＧ光信号受信装置５００と、受信した光信号ＬｂからアナログＢ画像信号Ｂと水平同期信号ＨＳとを復調して出力するＢ光信号受信装置６００と、Ｒ光信号送信装置１００から出力された光信号ＬｒをＲ光信号受信装置４００へと伝送する光ファイバ１と、Ｇ光信号送信装置２００から出力された光信号ＬｇをＧ光信号受信装置５００へと伝送する光ファイバ２と、Ｂ光信号送信装置３００から出力された光信号ＬｂをＢ光信号受信装置６００へと伝送する光ファイバ３とを具備している。
【００１２】
図２は、Ｒ光信号送信装置１００の構成ブロック図である。
Ｒ光信号送信装置１００は、Ｒ画像信号Ｒに水平同期信号ＨＳを重畳してＲ画像・水平同期重畳信号Ｅ１を出力する重畳回路１０１と、Ｒ画像・水平同期重畳信号Ｅ１を所定の変換ゲインで駆動電流Ｉ１に変換するＬＤ駆動回路１０２と、駆動電流Ｉ１を光信号Ｌｒに変換するレーザダイオード１０３と、光信号Ｌｒを光ファイバ１へ出力するための光コネクタ１０５と、光信号Ｌｒの一部を受光して電流信号に変換し出力するフォトダイオード１０６と、フォトダイオード１０６から出力された電流信号を電圧信号に変換する電流電圧変換回路１０７と、水平同期信号ＨＳ中の水平同期パルスが存在している期間をサンプリング期間とするサンプルタイミング信号Ｓ１を生成するサンプルタイミング生成回路１０８と、電流電圧変換回路１０７が出力する電圧信号をサンプルタイミング信号Ｓ１に応じてサンプルホールドするサンプルホールド回路１０９と、基準電圧を出力する基準電圧回路１１０と、サンプルホールド回路１０９の出力信号Ｆ１と基準電圧とを比較して差に応じた誤差信号を出力する誤差増幅回路１１１と、誤差信号を平滑化する積分回路１１２と、積分回路１１２で平滑化された誤差信号を０にするようにＬＤ駆動回路１０２の変換ゲインをフィードバック制御する自動ゲイン調整回路１１３とを具備してなる。
【００１３】
図３は、Ｒ光信号送信装置１００の各信号の波形図である。
Ｒ画像信号Ｒは、水平同期信号ＨＳ中の水平同期パルスの間ごとに例えば１６００画素分の画像信号が存在している。
水平同期信号ＨＳは、水平同期パルスが例えば周期１０μｓで出現する信号である。振幅は一定である（例えば０.３Ｖ）。
Ｒ画像・水平同期重畳信号Ｅ１は、基線の上側にＲ画像信号Ｒを置き、基線の下側に水平同期パルスＨＳを置いた信号である。
サンプルタイミング信号Ｓ１は、水平同期信号ＨＳ中の水平同期パルスが存在している期間中だけサンプリングパルスが現れる信号である。
サンプルホールド回路１０９の出力信号Ｆ１は、光信号Ｌ１に含まれる水平同期パルスの振幅に応じた電圧信号である。
【００１４】
自動ゲイン調整回路１１３は、サンプルホールド回路１０９の出力信号Ｆ１が基準電圧に一致するようにフィードバック制御する。これにより、光信号Ｌｒの強度を安定化できる。
【００１５】
Ｂ光信号送信装置３００の構成は、Ｒ光信号送信装置１００と同様である。
【００１６】
図４は、Ｇ光信号送信装置２００の構成ブロック図である。
Ｇ光信号送信装置２００は、Ｇ画像信号Ｇに水平同期信号ＨＳと垂直同期信号ＶＳとを重畳してＧ画像・水平・垂直同期重畳信号Ｅ２を出力する重畳回路２０１と、Ｇ画像・水平・垂直同期重畳信号Ｅ２を所定の変換ゲインで駆動電流Ｉ２に変換するＬＤ駆動回路１０２と、駆動電流Ｉ２を光信号Ｌｇに変換するレーザダイオード１０３と、光信号Ｌｇを光ファイバ２へ出力するための光コネクタ１０５と、光信号Ｌｇの一部を受光して電流信号に変換し出力するフォトダイオード１０６と、フォトダイオード１０６から出力された電流信号を電圧信号に変換する電流電圧変換回路１０７と、垂直同期信号ＶＳ中の垂直同期パルスが存在していない期間であって且つ水平同期信号ＨＳ中の水平同期パルスが存在している期間をサンプリング期間とするサンプルタイミング信号Ｓ２を生成するサンプルタイミング生成回路２０８と、電流電圧変換回路１０７が出力する電圧信号をサンプルタイミング信号Ｓ２に応じてサンプルホールドするサンプルホールド回路１０９と、基準電圧を出力する基準電圧回路１１０と、サンプルホールド回路１０９の出力信号Ｆ２と基準電圧とを比較して差に応じた誤差信号を出力する誤差増幅回路１１１と、誤差信号を平滑化する積分回路１１２と、積分回路１１２で平滑化された誤差信号を０にするようにＬＤ駆動回路１０２の変換ゲインをフィードバック制御する自動ゲイン調整回路１１３とを具備してなる。
【００１７】
図５は、Ｇ光信号送信装置２００の各信号の波形図である。
Ｇ画像信号Ｇは、水平同期信号ＨＳ中の水平同期パルスの間ごとに例えば１６００画素分の画像信号が存在している。
水平同期信号ＨＳは、水平同期パルスが例えば周期１０μｓで出現する信号である。振幅は一定である（例えば０.３Ｖ）。
垂直同期信号ＶＳは、垂直同期パルスが例えば周期１４ｍｓで出現する信号である。振幅は一定である（例えば０.３Ｖ）。
Ｇ画像・水平・垂直同期重畳信号Ｅ２は、基線の上側にＧ画像信号Ｇを置き、基線の下側に水平同期パルスＨＳおよび垂直同期パルスＶＳを置いた信号である。
サンプルタイミング信号Ｓ２は、垂直同期信号ＶＳ中の垂直同期パルスが存在していない期間であって且つ水平同期信号ＨＳ中の水平同期パルスが存在している期間中だけサンプリングパルスが現れる信号である。
サンプルホールド回路１０９の出力信号Ｆ２は、光信号Ｌ２に含まれる水平同期パルスの振幅に応じた電圧信号である。
【００１８】
自動ゲイン調整回路１１３は、サンプルホールド回路１０９の出力信号Ｆ２が基準電圧に一致するようにフィードバック制御する。これにより、光信号Ｌｇの強度を安定化できる。
【００１９】
図６は、Ｒ光信号受信装置４００の構成ブロック図である。
Ｒ光信号受信装置４００は、光ファイバ１から光信号Ｌｒを受け入れるための光コネクタ４０１と、光信号Ｌｒを受光して電流信号ｉ１に変換し出力するフォトダイオード４０２と、フォトダイオード４０２から出力された電流信号ｉ１を電圧信号ｅ１に変換する電流電圧変換回路４０３と、電圧信号ｅ１からＲ画像信号ｒを分離する画像信号分離回路４０４と、Ｒ画像信号ｒを所定の増幅ゲインで増幅しＲ画像信号Ｒを復元する増幅回路４０５と、電圧信号ｅ１から水平同期信号ＨＳを生成する同期信号分離回路４０６と、水平同期信号ＨＳ中の水平同期パルスが存在している期間をサンプリング期間とするサンプルタイミング信号ｓ１を生成するサンプルタイミング生成回路４０７と、電圧信号ｅ１をサンプルタイミング信号ｓ１に応じてサンプルホールドするサンプルホールド回路４０８と、基準電圧を出力する基準電圧回路４０９と、サンプルホールド回路４０８の出力信号ｆ１と基準電圧とを比較して差に応じた誤差信号を出力する誤差増幅回路４１０と、誤差信号を平滑化する積分回路４１１と、積分回路４１１で平滑化された誤差信号に応じた増幅ゲインになるように増幅回路４０５の増幅ゲインを調整する自動ゲイン調整回路４１２とを具備してなる。
【００２０】
図７は、Ｒ光信号受信装置４００の各信号の波形図である。
電圧信号ｅ１は、基線の上側にＲ画像信号Ｒがあり、基線の下側に水平同期パルスＨＳがある信号である。但し、光コネクタ１０５，光ファイバ１および光コネクタ４０１での光損失により、元の振幅より小さくなっている。
Ｒ画像信号ｒは、水平同期信号ＨＳ中の水平同期パルスの間ごとに例えば１６００画素分の画像信号が存在している。但し、光コネクタ１０５，光ファイバ１および光コネクタ４０１での光損失により、元の振幅より小さくなっている。
水平同期信号ＨＳは、水平同期パルスが例えば周期１０μｓで出現する信号である。振幅は一定である（例えば０.３Ｖ）。
サンプルタイミング信号ｓ１は、水平同期信号ＨＳ中の水平同期パルスが存在している期間中だけサンプリングパルスが現れる信号である。
サンプルホールド回路４０８の出力信号ｆ１は、電圧信号ｅ１に含まれる水平同期パルスの振幅に応じた電圧信号である。
【００２１】
例えばＲ光信号送信装置１００における基準電圧回路１１０が出力する基準電圧値とＲ光信号受信装置４００における基準電圧回路４０９が出力する基準電圧値とを等しくしておけば、基準電圧をサンプルホールド回路４０８の出力信号ｆ１で割った値が増幅ゲインになるように増幅回路４０５の増幅ゲインを自動ゲイン調整回路４１２で調整すれば、元の振幅を復元したＲ画像信号Ｒを出力できる。
【００２２】
Ｂ光信号受信装置６００の構成は、Ｒ光信号受信装置４００と同様である。
【００２３】
図８は、Ｇ光信号受信装置５００の構成ブロック図である。
Ｇ光信号受信装置５００は、光ファイバ２から光信号Ｌｇを受け入れるための光コネクタ４０１と、光信号Ｌｇを受光して電流信号ｉ２に変換し出力するフォトダイオード４０２と、フォトダイオード４０２から出力された電流信号ｉ２を電圧信号ｅ２に変換する電流電圧変換回路４０３と、電圧信号ｅ２からＧ画像信号ｇを分離する画像信号分離回路４０４と、Ｇ画像信号ｇを所定の増幅ゲインで増幅しＧ画像信号Ｇを復元する増幅回路４０５と、電圧信号ｅ２から水平同期信号ＨＳおよび垂直同期信号ＶＳを生成する同期信号分離回路５０６と、垂直同期信号ＶＳ中の垂直同期パルスが存在していない期間であって且つ水平同期信号ＨＳ中の水平同期パルスが存在している期間をサンプリング期間とするサンプルタイミング信号ｓ２を生成するサンプルタイミング生成回路５０７と、電圧信号ｅ２をサンプルタイミング信号ｓ２に応じてサンプルホールドするサンプルホールド回路４０８と、基準電圧を出力する基準電圧回路４０９と、サンプルホールド回路４０８の出力信号ｆ２と基準電圧とを比較して差に応じた誤差信号を出力する誤差増幅回路４１０と、誤差信号を平滑化する積分回路４１１と、積分回路４１１で平滑化された誤差信号に応じた増幅ゲインになるように増幅回路４０５の増幅ゲインを調整する自動ゲイン調整回路４１２とを具備してなる。
【００２４】
図９は、Ｇ光信号受信装置５００の各信号の波形図である。
電圧信号ｅ２は、基線の上側にＲ画像信号Ｒがあり、基線の下側に水平同期パルスＨＳおよび垂直同期パルスＶＳがある信号である。但し、光コネクタ１０５，光ファイバ２および光コネクタ４０１での光損失により、元の振幅より小さくなっている。
Ｇ画像信号ｇは、水平同期信号ＨＳ中の水平同期パルスの間ごとに例えば１６００画素分の画像信号が存在している。但し、光コネクタ１０５，光ファイバ２および光コネクタ４０１での光損失により、元の振幅より小さくなっている。
水平同期信号ＨＳは、水平同期パルスが例えば周期１０μｓで出現する信号である。振幅は一定である（例えば０.３Ｖ）。
垂直同期信号ＶＳは、垂直同期パルスが例えば周期１４ｍｓで出現する信号である。振幅は一定である（例えば０.３Ｖ）。
サンプルタイミング信号ｓ２は、垂直同期信号ＶＳ中の垂直同期パルスが存在していない期間であって且つ水平同期信号ＨＳ中の水平同期パルスが存在している期間中だけサンプリングパルスが現れる信号である。
サンプルホールド回路４０８の出力信号ｆ２は、電圧信号ｅ２に含まれる水平同期パルスの振幅に応じた電圧信号である。
【００２５】
例えばＧ光信号送信装置２００における基準電圧回路１１０が出力する基準電圧値とＧ光信号受信装置５００における基準電圧回路４０９が出力する基準電圧値とを等しくしておけば、基準電圧をサンプルホールド回路４０８の出力信号ｆ２で割った値が増幅ゲインになるように増幅回路４０５の増幅ゲインを自動ゲイン調整回路４１２で調整すれば、元の振幅を復元したＧ画像信号Ｇを出力できる。
【００２６】
実施例１の画像伝送用光通信装置１０によれば、次の効果が得られる。
（１）画像信号を強度変調方式により光伝送する場合の送信光の強度レベルを安定化できる。
（２）強度変調方式により光伝送されてきた画像信号の振幅レベルを安定化できる。
（３）従って、強度変調方式でも、画像信号を安定に光伝送できる。
（４）画像信号の周波数帯域が広い高精細画像信号をＦＭ変調方式で伝送する場合よりも周波数特性が低域の部品を使用できる。
（５）Ｒ信号，Ｇ信号，Ｂ信号，水平同期信号ＨＳおよび垂直同期信号ＶＳの５信号を３本の光ファイバ１，２，３で伝送できる。
【産業上の利用可能性】
【００２７】
本発明の光信号送信装置、光信号受信装置および画像伝送用光通信装置は、パソコンから出力される高精細アナログＲＧＢ信号のような画像信号を光伝送するのに利用できる。
【図面の簡単な説明】
【００２８】
【図１】実施例１に係る画像伝送用光通信装置を示す構成図である。
【図２】実施例１に係るＲ光信号送信装置を示す構成図である。
【図３】図２のＲ光信号送信装置における各信号を示す模式図である。
【図４】実施例１に係るＧ光信号送信装置を示す構成図である。
【図５】図４のＧ光信号送信装置における各信号を示す模式図である。
【図６】実施例１に係るＲ光信号受信装置を示す構成図である。
【図７】図６のＲ光信号受信装置における各信号を示す模式図である。
【図８】実施例１に係るＧ光信号受信装置を示す構成図である。
【図９】図８のＧ光信号受信装置における各信号を示す模式図である。
【符号の説明】
【００２９】
１，２，３        光ファイバ
１０              画像伝送用光通信装置
１００            Ｒ光信号送信装置
１０２            ＬＤ駆動回路
１０３            レーザダイオード
１１３            自動ゲイン調整回路
２００            Ｇ光信号送信装置
３００            Ｂ光信号送信装置
４００            Ｒ光信号受信装置
４０５            増幅回路
４１２            自動ゲイン調整回路
５００            Ｇ光信号受信装置
６００            Ｂ光信号受信装置
【図１】
2006060288.tif 000003
【図２】
2006060288.tif 000004
【図３】
2006060288.tif 000005
【図４】
2006060288.tif 000006
【図５】
2006060288.tif 000007
【図６】
2006060288.tif 000008
【図７】
2006060288.tif 000009
【図８】
2006060288.tif 000010
【図９】
2006060288.tif 000011